(57)【要約】【課題】  出力される画像の光沢ムラの発生をより抑制することができる画像処理方法及び画像処理装置、コンピュータプログラム、記録媒体を提供することができる。【解決手段】  印刷装置に対する複数の印刷条件下それぞれで印刷媒体に印刷された画像の特性データとして、印刷媒体に印刷される画像の光沢性の差異を低減させる特性データを記憶媒体に記憶する。入力した画像データの各画素データ値に基づく色分布を作成する。印刷装置に対する印刷条件と作成した色分布とに応じて、画像データに対する特性データを記憶媒体から取得する。取得した特性データに基づいて、画像データに対する色分解データを生成する。【選択図】  図１
2008221799.tif 000002
【特許請求の範囲】
【請求項１】
画像データを印刷装置で出力する色成分のデータに分解するための色分解データを用いて、前記画像データを前記印刷装置における印刷用データに変換して出力する画像処理方法であって、
前記印刷装置に対する複数の印刷条件下それぞれで印刷媒体に印刷された画像の特性データとして、前記印刷媒体に印刷される画像の光沢性の差異を低減させる特性データを記憶媒体に記憶する記憶工程と、
入力した画像データの各画素データ値に基づく色分布を作成する作成工程と、
前記印刷装置に対する印刷条件と前記作成工程で作成した色分布とに応じて、前記画像データに対する前記特性データを前記記憶媒体から取得する取得工程と、
前記取得工程で取得した特性データに基づいて、前記画像データに対する前記色分解データを生成する生成工程と
を備えることを特徴とする画像処理方法。
【請求項２】
画像データを印刷装置で出力する色成分のデータに分解するための色分解データを用いて、前記画像データを前記印刷装置における印刷用データに変換して出力する画像処理方法であって、
前記印刷装置に対する複数の印刷条件下それぞれで印刷媒体に印刷された複数の画像の特性データとして、前記印刷媒体に印刷される画像の光沢性の差異を低減させる特性データを記憶媒体に記憶する記憶工程と、
入力した画像データの属性を設定する設定工程と、
前記印刷装置に対する印刷条件と前記設定工程により設定された前記画像データの属性とに応じて、前記画像データに対する前記特性データを前記記憶媒体から取得する取得工程と、
前記取得工程で取得した特性データに基づいて、前記画像データに対する色分解データを生成する生成工程と
を備えることを特徴とする画像処理方法。
【請求項３】
複数色の印刷媒体に対して複数の色材で印刷した各画像の光沢性を測定する光沢測定工程と、
前記光沢測定工程で測定された光沢特性の測定値に基づいて、当該測定値と前記各画像に対応する画像データとの差異を低減させる前記特性データを生成する特性データ生成工程と
を更に備えることを特徴とする請求項１または請求項２に記載の画像処理方法。
【請求項４】
前記光沢測定工程は、前記印刷媒体の正反射光強度及び前記印刷媒体の正反射近傍光強度の少なくとも一方の測定を含む
ことを特徴とする請求項３に記載の画像処理方法。
【請求項５】
前記印刷条件は、前記印刷媒体の種類及び前記印刷媒体への印刷に使用する色材の種類の少なくとも一方を含む
ことを特徴とする請求項１または請求項２に記載の画像処理方法。
【請求項６】
ユーザインタフェースを介して、前記印刷条件の指定を受け付ける受付工程を更に備える
ことを特徴とする請求項１乃至請求項５のいずれか１項に記載の画像処理方法。
【請求項７】
ユーザインタフェースを介して、前記入力した画像データの色分布及び前記入力した画像データの属性の少なくとも一方に応じた前記色分解データの指定を受け付ける受付工程を更に備える
ことを特徴とする請求項１乃至請求項５のいずれか１項に記載の画像処理方法。
【請求項８】
画像データを印刷装置で出力する色成分のデータに分解するための色分解データを用いて、前記画像データを前記印刷装置における印刷用データに変換して出力する画像処理装置であって、
前記印刷装置に対する複数の印刷条件下それぞれで印刷媒体に印刷された画像の特性データとして、前記印刷媒体に印刷される画像の光沢性の差異を低減させる特性データを記憶する記憶手段と、
入力した画像データの各画素データ値に基づく色分布を作成する作成手段と、
前記印刷装置に対する印刷条件と前記作成手段で作成した色分布とに応じて、前記画像データに対する前記特性データを前記記憶手段から取得する取得手段と、
前記取得手段で取得した特性データに基づいて、前記画像データに対する前記色分解データを生成する生成手段と
を備えることを特徴とする画像処理装置。
【請求項９】
画像データを印刷装置で出力する色成分のデータに分解するための色分解データを用いて、前記画像データを前記印刷装置における印刷用データに変換して出力する画像処理装置であって、
前記印刷装置に対する複数の印刷条件下それぞれで印刷媒体に印刷された画像の特性データとして、前記印刷媒体に印刷される画像の光沢性の差異を低減させる特性データを記憶する記憶手段と、
入力した画像データの属性を設定する設定手段と、
前記印刷装置に対する印刷条件と前記設定手段により設定された前記画像データの属性とに応じて、前記画像データに対する前記特性データを前記記憶手段から取得する取得手段と、
前記取得手段で取得した特性データに基づいて、前記画像データに対する前記色分解データを生成する生成手段と
を備えることを特徴とする画像処理装置。
【請求項１０】
複数色の印刷媒体に対して複数の色材で印刷した各画像の光沢性を測定する光沢測定手段と、
前記光沢測定手段で測定された光沢特性の測定値に基づいて、当該測定値と前記各画像に対応する画像データとの差異を低減させる前記特性データを生成する特性データ生成手段と
を更に備えることを特徴とする請求項８または請求項９に記載の画像処理装置。
【請求項１１】
前記光沢測定手段は、前記印刷媒体の正反射光強度及び前記印刷媒体の正反射近傍光強度の少なくとも一方の測定を含む
ことを特徴とする請求項１０に記載の画像処理装置。
【請求項１２】
前記印刷条件は、前記印刷媒体の種類及び前記印刷媒体への印刷に使用する色材の種類の少なくとも一方を含む
ことを特徴とする請求項８または請求項９に記載の画像処理装置。
【請求項１３】
前記印刷条件を指定するユーザインタフェースを更に備える
ことを特徴とする請求項８乃至請求項１２のいずれか１項に記載の画像処理装置。
【請求項１４】
前記入力した画像データの色分布及び前記入力した画像データの属性の少なくとも一方に応じた色分解データを指定するユーザインタフェースを更に備える
ことを特徴とする請求項８乃至請求項１２のいずれか１項に記載の画像処理装置。
【請求項１５】
コンピュータを制御することによって、請求項１乃至請求項７記載の画像処理方法を実行することを特徴とするコンピュータプログラム。
【請求項１６】
請求項１５に記載されたコンピュータプログラムが記録されたことを特徴とする記録媒体。
【発明の詳細な説明】
【技術分野】
【０００１】
本発明は、画像データを印刷装置で出力する色成分のデータに分解するための色分解データを用いて、画像データを印刷装置における印刷用データに変換して出力する画像処理方法及び画像処理装置、コンピュータプログラム、記録媒体に関するものである。
【背景技術】
【０００２】
ワードプロセッサ、パーソナルコンピュータ、ファクシミリ等に於ける情報出力装置として、所望される文字や画像等の情報を用紙やフィルム等のシート状の印刷媒体に記録を行う記録装置には様々な方式のものがある。その中で、印刷媒体に記録剤を付着することで印刷媒体上にテキストや画像を形成する方式が実用化されている。このような方式の代表例として、インクジェット記録装置がある。近年、インクジェット記録装置の性能が向上し、テキストばかりでなく、カラー画像も記録されるようになってきた。
【０００３】
このインクジェット記録装置は、プリンタヘッドから吐出されるインクドットの空間的な配置によって、中間階調を表現しているが、ドット密度が小さい領域、即ち、ハイライト部においては、印刷されたドットが、視覚的に目立ち、粒状性を悪化させてしまう。
【０００４】
そこで、近年、特許文献１に示されるように、従来の印刷に用いられている基本色材（ＣＭＹＫ）４色に加えＬｃ（ライトシアン）、Ｌｍ（ライトマゼンタ）という淡い色の色材を用いることにより、ハイライト部の粒状性を向上させる技術が用いられている。
【０００５】
また、近年のカラーインクジェット記録装置の急速な普及に伴い、より高画質への要求が高まってきた。特に、記録装置が再現することのできる色領域を拡張させて、より鮮やかな出力画像が求められている。
【０００６】
これに対し、ＣＭＹの３色の内、各１色で再現できる色領域については、個々の色材の発色特性や色材濃度を改善することによって色再現領域を拡張することが可能である。しかしながら、２色以上の記録剤で形成されるＲ、Ｇ、Ｂ領域で、特に、彩度の高い色領域では、従来のＣＭＹＫの４色では再現できる色領域に限りがあり、より鮮やかな色再現が難しくなる。この色再現領域の拡張に際し、特許文献２には、ＣＭＹＫの４色の基本色材に加えて、減法混色の３原色以外の高彩度な色、即ち、特色インクを追加し、画像形成を行う方法が開示されている。
【０００７】
一方、カラーインクジェット記録装置の画質向上に伴い、カラーインクジェット記録装置を用いたデジタル画像の出力、いわゆる写真印刷が一般的になっている。写真印刷が一般的になるにつれ、出力された印刷媒体の保存性が重要視されている。
【０００８】
従来、インクジェット記録装置における記録剤には、主に染料インクが用いられてきたが、染料インクは保存性が低いため、カラーインクジェット記録装置において保存性の高い顔料インクが使用されることがある。
【０００９】
特に、顔料インクを用いたカラーインクジェット記録装置において顕著に見られる現象のひとつに、出力された印刷媒体表面の光沢性が、再現されている色毎に異なって観察される、光沢ムラと呼ばれる現象がある。この光沢ムラは、画像観察において妨害要素となっている。
【００１０】
そこで、光沢ムラの発生を抑制するために、特許文献３のように、明るい無彩色領域を表現しているＬｃ、Ｌｍ、Ｙを淡灰色インクで置き換える（色分解する）方法がある。通常、Ｃドット、Ｍドット、Ｌｃドット、Ｌｍドット、Ｙドットのような有彩色インクのドットは、ドット密度が高い領域と低い領域とで、光沢感に違いが生じ易い傾向がある。これに対して、淡灰色インクのような無彩色インクのドットは、ドット密度の違いによって光沢感に大きな違いが生じることが比較的少ない。このため、Ｌｃ、Ｌｍ、Ｙを淡灰色インクで置き換えることによって光沢ムラを改善することが可能となる。
【特許文献１】特開２００２−０５９５７１号公報
【特許文献２】特開２００１−１３６４０１号公報
【特許文献３】特開２００５−０２２２０５号公報
【発明の開示】
【発明が解決しようとする課題】
【００１１】
上述したように、近年のカラーインクジェット記録装置における色材色の増加に伴い、所望の色を実現するために２色以上の色材色を用いる場合の組み合わせの数が増大している。この色材色の組み合わせによって、出力画像で観察される光沢感が異なる。所望の色を再現するために、複数の色材色の組み合わせから最適な組み合わせを選択するために、粒状性の評価値や再現することのできる色領域の大きさの評価値から、色材色の組み合わせを決定する技術は既に用いられている。
【００１２】
また、印刷においては単純に光沢感が高ければ良いというわけではなく、再現する色の相違で異なる光沢性が発生すると、複数の色によって構成される出力画像の画質が損なわれるという問題点があった。即ち、光沢ムラの抑制も重要視されている。
【００１３】
粒状性等の画質決定要素と同様に、上述した特許文献３のように、光沢ムラ抑制を考慮した色分解方法が公開されている。しかしながら、有彩色インクであるＬｃ、Ｌｍ、Ｙを無彩色の淡灰色インクで置き換える上記の方法では、新たに無彩色インクを追加する必要があり、開発コストが増加してしまう問題がある。また、全ての画像に対して、できるだけＬｃ、Ｌｍ、Ｙを淡灰色インクに置き換えるという同一の処理を施すため、画像によっては最適な色分解方法ではない可能性がある。
【００１４】
また、印刷媒体の光沢感の評価方法には、一般的に、正反射光の強度を測定する鏡面光沢度測定方法（ＪＩＳ  Ｚ  ８７４１）に準拠した光沢度計の測定値が用いられる。また、自動車の外板等、高光沢物体の光沢感評価には、試料表面の曇り具合を測定するヘイズ測定方法（ＩＳＯ  １３８０３、ＡＳＴＭ  Ｅ  ４３０）が用いられる。更に、試料表面に映り込んだ物体の像の鮮明度を測定する写像性測定方法（ＪＩＳ  Ｋ  ７１０５、ＪＩＳ  Ｈ  ８６８６）が用いられる。しかしながら、上述した方法はいずれも、印刷媒体の光沢感評価においては、画像観察者の感じる光沢感と必ずしも一致しないことが知られている。
【００１５】
本発明は上記の課題を解決するためになされたものであり、出力される画像の光沢ムラの発生をより抑制することができる画像処理方法及び画像処理装置、コンピュータプログラム、記録媒体を提供することを目的とする。
【課題を解決するための手段】
【００１６】
上記の目的を達成するための本発明による画像処理方法は以下の構成を備える。即ち、
画像データを印刷装置で出力する色成分のデータに分解するための色分解データを用いて、前記画像データを前記印刷装置における印刷用データに変換して出力する画像処理方法であって、
前記印刷装置に対する複数の印刷条件下それぞれで印刷媒体に印刷された画像の特性データとして、前記印刷媒体に印刷される画像の光沢性の差異を低減させる特性データを記憶媒体に記憶する記憶工程と、
入力した画像データの各画素データ値に基づく色分布を作成する作成工程と、
前記印刷装置に対する印刷条件と前記作成工程で作成した色分布とに応じて、前記画像データに対する前記特性データを前記記憶媒体から取得する取得工程と、
前記取得工程で取得した特性データに基づいて、前記画像データに対する前記色分解データを生成する生成工程と
を備える。
【００１７】
上記の目的を達成するための本発明による画像処理方法は以下の構成を備える。即ち、
画像データを印刷装置で出力する色成分のデータに分解するための色分解データを用いて、前記画像データを前記印刷装置における印刷用データに変換して出力する画像処理方法であって、
前記印刷装置に対する複数の印刷条件下それぞれで印刷媒体に印刷された複数の画像の特性データとして、前記印刷媒体に印刷される画像の光沢性の差異を低減させる特性データを記憶媒体に記憶する記憶工程と、
入力した画像データの属性を設定する設定工程と、
前記印刷装置に対する印刷条件と前記設定工程により設定された前記画像データの属性とに応じて、前記画像データに対する前記特性データを前記記憶媒体から取得する取得工程と、
前記取得工程で取得した特性データに基づいて、前記画像データに対する色分解データを生成する生成工程と
を備える。
【００１８】
また、好ましくは、複数色の印刷媒体に対して複数の色材で印刷した各画像の光沢性を測定する光沢測定工程と、
前記光沢測定工程で測定された光沢特性の測定値に基づいて、当該測定値と前記各画像に対応する画像データとの差異を低減させる前記特性データを生成する特性データ生成工程と
を更に備える。
【００１９】
また、好ましくは、前記光沢測定工程は、前記印刷媒体の正反射光強度及び前記印刷媒体の正反射近傍光強度の少なくとも一方の測定を含む。
【００２０】
また、好ましくは、前記印刷条件は、前記印刷媒体の種類及び前記印刷媒体への印刷に使用する色材の種類の少なくとも一方を含む。
【００２１】
また、好ましくは、ユーザインタフェースを介して、前記印刷条件の指定を受け付ける受付工程を更に備える。
【００２２】
また、好ましくは、ユーザインタフェースを介して、前記入力した画像データの色分布及び前記入力した画像データの属性の少なくとも一方に応じた前記色分解データの指定を受け付ける受付工程を更に備える。
【００２３】
上記の目的を達成するための本発明による画像処理装置は以下の構成を備える。即ち、
画像データを印刷装置で出力する色成分のデータに分解するための色分解データを用いて、前記画像データを前記印刷装置における印刷用データに変換して出力する画像処理装置であって、
前記印刷装置に対する複数の印刷条件下それぞれで印刷媒体に印刷された画像の特性データとして、前記印刷媒体に印刷される画像の光沢性の差異を低減させる特性データを記憶する記憶手段と、
入力した画像データの各画素データ値に基づく色分布を作成する作成手段と、
前記印刷装置に対する印刷条件と前記作成手段で作成した色分布とに応じて、前記画像データに対する前記特性データを前記記憶手段から取得する取得手段と、
前記取得手段で取得した特性データに基づいて、前記画像データに対する前記色分解データを生成する生成手段と
を備える。
【００２４】
上記の目的を達成するための本発明による画像処理装置は以下の構成を備える。即ち、
画像データを印刷装置で出力する色成分のデータに分解するための色分解データを用いて、前記画像データを前記印刷装置における印刷用データに変換して出力する画像処理装置であって、
前記印刷装置に対する複数の印刷条件下それぞれで印刷媒体に印刷された画像の特性データとして、前記印刷媒体に印刷される画像の光沢性の差異を低減させる特性データを記憶する記憶手段と、
入力した画像データの属性を設定する設定手段と、
前記印刷装置に対する印刷条件と前記設定手段により設定された前記画像データの属性とに応じて、前記画像データに対する前記特性データを前記記憶手段から取得する取得手段と、
前記取得手段で取得した特性データに基づいて、前記画像データに対する前記色分解データを生成する生成手段と
を備える。
【発明の効果】
【００２５】
本発明によれば、出力される画像の光沢ムラの発生をより抑制することができる画像処理方法及び画像処理装置、コンピュータプログラム、記録媒体を提供することができる。
【発明を実施するための最良の形態】
【００２６】
以下、本発明の実施の形態について図面を用いて詳細に説明する。
【００２７】
＜装置構成概要＞
図１は本発明の実施形態の画像処理装置の構成を示すブロック図である。
【００２８】
本画像処理装置は、大きく分けて、ＵＩ（ユーザインタフェース）部１０１０、色分解ＬＵＴ決定部１０２０、データ保持部１０３０及び光沢測定部１０４０を備える。
【００２９】
ＵＩ部１０１０は、本画像処理装置を使用するユーザが、画像を出力する際に光沢ムラ（光沢性の差異）の抑制方法を選択する等の各種操作を行うためのものである。また、ＵＩ部１０１０は、光沢ムラ抑制設定部１０１１、印刷媒体選択部１０１２、画像カテゴリ選択部１０１３、ヒストグラム作成部１０１４を備える。
【００３０】
光沢ムラ抑制設定部１０１１は、光沢ムラ抑制処理を実行するか否かをユーザが設定する。印刷媒体選択部１０１２は、本実施形態における画像出力部１０６０（記録装置）で使用される印刷媒体をユーザが選択する。画像カテゴリ選択部１０１３は、入力画像の種類をユーザが選択する。ヒストグラム作成部１０１４は、本実施形態における画像入力部１０５０で入力された画像について、ＲＧＢ等の入力信号値のヒストグラムを作成する。換言すれば、画像データの各画素データ値に基づく色分布を作成する。
【００３１】
ＵＩ部１０１０の各機能の詳細な例は後述するが、ＵＩ部１０１０は、例えば、プリンタ等の記録装置を制御するホストコンピュータのドライバに実装されていても良い。あるいは、記録装置のドライバとは、別の色分解ＬＵＴ（ルックアップテーブル）生成用アプリケーションプログラムとしてホストコンピュータ上に実装されていても良い。
【００３２】
色分解ＬＵＴ決定部１０２０は、ＵＩ部１０１０にてユーザが選択した入力画像や印刷媒体等の印刷条件に応じて、光沢ムラを制御した最適な色分解ＬＵＴ（色分解データ）を作成する、あるいは、予め定められた色分解ＬＵＴ（色分解データ）を参照する。そして、色分解ＬＵＴ決定部１０２０は、その作成したあるいは参照した色分解ＬＵＴを、画像出力部１０６０で画像を出力する際に使用する色分解ＬＵＴとして決定する。
【００３３】
色分解ＬＵＴ決定部１０２０は、印刷条件格納部１０２１、色分解ＬＵＴ生成部１０２２及び色分解ＬＵＴ格納部１０２３を備える。
【００３４】
印刷条件格納部１０２１は、ＵＩ部１０１０にて選択された印刷条件を格納する。この印刷条件は、印刷に使用する印刷媒体の種類、使用する色材（インク、トナー等）、後述する光沢ムラを抑制する色領域に関する情報を含む。色分解ＬＵＴ生成部１０２２は、印刷条件格納部１０２１に格納された印刷条件と、データ保持部１０３０に格納されている色材情報（色材データ）、印刷媒体情報（印刷媒体データ）、光沢情報（光沢特性データ）に基づいて、色分解ＬＵＴを生成する。
【００３５】
色分解ＬＵＴ格納部１０２３は、色分解ＬＵＴ生成部１０２２で生成された色分解ＬＵＴ、あるいは、予め基本色分解ＬＵＴ保持部１０３４に格納されている色分解ＬＵＴを格納する。そして、色分解ＬＵＴ決定部１０２０は、色分解ＬＵＴ格納部１０２３に格納された色分解ＬＵＴを使用して、画像出力部１０６０にて光沢ムラを制御した画像を印刷する。換言すれば、色分解ＬＵＴ決定部１０２０は、色分解データを用いて、画像データを画像出力部１０６０（印刷装置）における印刷用データに変換して、画像出力部１０６０に出力する。
【００３６】
画像出力部１０６０は、本実施形態では、例えば、プリンタであり、入力したカラー画像データに基づいてカラー画像を印刷する。ここで、色分解は、ＲＧＢ等の画像データを画像出力部１０６０で出力する色成分のデータに分解する処理を意味するものとする。
【００３７】
データ保持部１０３０は、本実施形態の画像出力部１０６０（記録装置）において使用される印刷媒体データや色材データ、あるいは、当該印刷媒体データと色材データの組み合わせで発生する光沢特性データを予め保持している。
【００３８】
データ保持部１０３０は、印刷媒体データ保持部１０３１、色材データ保持部１０３２、光沢特性データ保持部１０３３及び基本色分解ＬＵＴ保持部１０３４を備える。
【００３９】
印刷媒体データ保持部１０３１は、画像出力部１０６０で使用される印刷媒体の種類を示す印刷媒体データを保持する。色材データ保持部１０３２は、画像出力部１０６０で使用される全ての色材（インクやトナー等）の種類を示す色材データを保持する。光沢特性データ保持部１０３３は、印刷媒体データ保持部１０３１で保持される印刷媒体の種類と色材データ保持部１０３２で保持される色材の種類との組み合わせによって発生する、印刷媒体上の光沢の特性を示す光沢特性データを保持する。
【００４０】
基本色分解ＬＵＴ保持部１０３４は、光沢ムラ抑制設定部１０１１にてユーザが光沢ムラ抑制処理を行わないと設定した際に使用する色分解ＬＵＴを予め保持する。一般に、光沢ムラとその他の画質要素（粒状性、階調性、色再現範囲等）との関係は、トレードオフになっている場合が多い。そのため、光沢ムラの発生よりその他の画質要素を重視する場合には、光沢ムラ抑制設定部１０１１にて、光沢ムラ抑制処理を行わないと決定される場合もある。この場合の色分解ＬＵＴは、例えば、粒状性の向上を重視した色分解ＬＵＴである。重視する画質項目は、階調性や色再現領域等でも良く、粒状性に限定されるものではない。
【００４１】
光沢測定部１０４０は、光沢特性データ保持部１０３３で保持する光沢特性データ（測定値）を測定する。光沢測定部１０４０は、パッチデータ生成部１０４１、パッチ出力部１０４２、光沢特性測定部１０４３及びパッチ測色部１０４４を備える。
【００４２】
光沢測定部１０４０は、パッチデータ生成部１０４１で、印刷媒体データ保持部１０３１にて保持する印刷媒体の種類と、色材データ保持部１０３２にて保持する色材の種類との全ての組み合わせに対して、所定色を再現するための色材の組み合わせを生成する。
【００４３】
ＣＭＹＫの基本色以外に、基本色より淡い色の色材である淡シアンや淡マゼンタ、あるいは、レッド、グリーン、ブルー等の特色の色材を備えるシステムにおいて、所定色を再現する色材の組み合わせは多数存在する。
【００４４】
そこで、パッチデータ生成部１０４１で各色材を一定量変化させたパッチデータを作成し、パッチ出力部１０４２でこのパッチデータを印刷媒体に印刷する。パッチ出力部１０４２で印刷媒体上に出力したパッチ画像（指標画像）に対し、パッチ測色部１０４４で測色して、光沢特性測定部１０４３で光沢の特性を測定する。つまり、光沢測定部１０４０にて、所定の印刷媒体と所定の色材量の組み合わせに対応した、測色値、光沢特性を光沢特性データとして取得できる。こうして得られた光沢特性データは、光沢特性データ保持部１０３３に保持される。
【００４５】
尚、この光沢測定部１０４０による処理は、画像出力部１０６０を別の機種に変更した場合、あるいは同じ機種であっても所定期間毎、あるいは使用する色材が変更された場合等に適宜実行される。こうして得られた光沢特性データが、光沢ムラを制御する色分解ＬＵＴの作成に使用される。
【００４６】
ここで、上述した印刷媒体は、光沢紙、普通紙、アート紙等の印刷用紙が考えられるが、本発明はこれに限定されるものではない。また、上述した色材は、染料インク、顔料インク、トナー等が考えられるが、これに限定されるものではない。さらに、本実施形態における記録装置（画像出力部１０６０）は、インクジェット方式のプリンタや複合機、または、電子写真方式のプリンタや複写機等であるが、例えば、熱転写方式のプリンタ等でも良く、記録装置は限定されるものではない。
【００４７】
＜画像処理装置の詳細＞
図２は本発明の実施形態の画像処理装置のハードウェア構成を説明するブロック図である。
【００４８】
図２において、ＣＰＵ２０１は、ＲＡＭ２０２及びＲＯＭ２０３に記憶されたプログラムに従ってこの画像処理装置全体の動作を制御する。ＲＡＭ２０２は、ＣＰＵ２０１のメインメモリとして使用され、ＣＰＵ２０１により実行されるプログラムがロードされる。また、このＲＡＭ２０２は、ＣＰＵ２０１による制御動作時に各種データを一時的に保存するワークエリアを提供している。ＲＯＭ２０３は、ブートプログラムや各種データを不揮発に記憶している。
【００４９】
表示部２０４は、ＣＲＴや液晶等の表示ユニットを有し、処理対象のデータや後述するＵＩ画面等の表示に使用する。入力部２０５は、キーボード、マウス等のポインティングデバイスを有し、ユーザの操作により各種データやコマンドを入力するのに使用される。外部記憶装置２０６は、ハードディスク等の大容量の記憶装置である。この外部記憶装置２０６には、ＯＳ、各種アプリケーションプログラムやプリンタドライバ、及びデータ等が予めインストールされている。そして、そのプログラムの起動が指示されると、プログラムはＲＡＭ２０２にロードされて実行される。ネットワークインタフェース（Ｉ／Ｆ）２０７は、ＬＡＮ等のネットワーク２０９とのインタフェースを制御している。このネットワーク２０９には、プリンタ２１０や各種入出力機器が接続されている。入出力ポート２０８は、例えば、ＵＳＢやＩＥＥＥ１３９４等のインタフェースで、図１に示す画像出力部１０６０や画像入力部１０５０と接続している。
【００５０】
＜ＵＩ部１０１０の詳細＞
次に、図３を参照して、本実施形態に係るＵＩ部１０１０を詳細に説明する。尚、ＧＵＩであるＵＩ部１０１０上でユーザに指定された命令の処理内容の詳細は後述する。また、ＵＩ部１０１０は、ＣＰＵ２０１がＲＯＭ２０３に記憶されているプログラムを実行することで制御され、図２の入力部２０５及び表示部２０４により実現されている。
【００５１】
図３は本発明の実施形態の印刷条件を選択するグラフィカルユーザインタフェース（ＧＵＩ）の例である。
【００５２】
３０１は、本実施形態に係るＧＵＩの基本ウィンドウ（印刷設定画面）の例である。入力テキストボックス３０２は、印刷対象とする所望の画像データを指定するために使用するコントロールである。この入力テキストボックス３０２には、画像データのファイル名等が入力される。コンボボックス３０３は、印刷する際に使用する印刷媒体を選択するためのコントロールである。コンボボックス３０３では、本実施形態において使用可能な全ての種類の印刷媒体から任意の印刷媒体を選択可能にする。
【００５３】
グループボックス３０４は、ラジオボタン３０５及び３０６を二者択一で選択するためのコントロールであり、ラジオボタン３０５と３０６のどちらか一方のみ選択されるような機能を有する。
【００５４】
ラジオボタン３０５は、光沢ムラの抑制処理を実行しない（禁止する）モードを選択するためのコントロールである。ラジオボタン３０５が選択状態（チェック）になっていれば、光沢ムラ抑制処理をしない基本色分解ＬＵＴを用いて処理された画像が画像出力部１０６０から印刷することになる。ラジオボタン３０６は、光沢ムラの抑制処理を実行するモードを選択するためのコントロールである。ラジオボタン３０６を選択した際には、ユーザが光沢ムラ抑制処理に係る詳細設定のためのグループボックス３０７が備えられている。
【００５５】
このグループボックス３０７は、光沢ムラの抑制処理を実行する際の処理方法を選択するためのラジオボタン３０８及び３０９を二者択一で選択するためのコントロールである。
【００５６】
ラジオボタン３０８は、光沢ムラを自動的に抑制するモードを選択するためのコントロールである。ラジオボタン３０９は、光沢ムラを目的別（画像の種類別）に指定するモードを選択するためのコントロールである。
【００５７】
グループボックス３１０は、ラジオボタン３０９が選択された際に目的（画像の種類（属性））を指定するためのコントロールであり、ユーザは、ラジオボタン３１１〜３１３を三者択一で選択することが可能である。
【００５８】
ラジオボタン３１１〜３１３は、画像カテゴリを選択するためのコントロールである。ラジオボタン３１１を選択すると、グラフィックスモードで印刷するモードが選択される。ここで、グラフィックスモードとは、閾値よりも彩度が高い高彩度領域の使用率が閾値より高い画像を出力するモードである。
【００５９】
ラジオボタン３１２を選択すると、文書モードで印刷するモードが選択される。ここで、文書モードとは、閾値よりも明度が低い低明度領域の使用率が閾値より高い画像（特に、文字画像）を出力するモードである。
【００６０】
ラジオボタン３１３を選択すると、写真モードで印刷するモードが選択される。コンボボックス３１４は、写真モードを選択した際に、詳細にモードを指定するためのコントロールである。ここで、写真モードとは、閾値よりも彩度が低い低彩度領域の使用率が閾値より高い画像を出力するモードである。
【００６１】
コンボボックス３１４には、本実施形態では、図３にＢｌｕｅ近傍の領域（例えば、Ｂｌｕｅを中心にした所定範囲の色領域）が比較的多く（一定量以上）使用される「海」モードを例として示している。モードの例は、これに限定されるものではない。
【００６２】
例えば、その他に、Ｒｅｄ近傍の領域（例えば、Ｒｅｄを中心にした所定範囲の色領域）が比較的多く使用される「夕焼け」モードがある。また、Ｇｒｅｅｎ近傍の領域（例えば、Ｇｒｅｅｎを中心にした所定範囲の色領域）が比較的多く使用される「山景色」モードがある。肌色近傍の領域（例えば、肌色を示す特定色を中心にした所定範囲の色領域）が比較的多く使用される「人物」モード等が挙げられる。
【００６３】
更には、上記の例以外にも、使用率が閾値より高い色領域毎にモードを指定可能にすることが好ましい。さらに、上述したグラフィックスモード、文書モード、写真モード以外にも、再現する色領域全般において光沢ムラを抑制するための、「全般」モードを設定しても良い。
【００６４】
印刷ボタン３１５は、当該ボタンの押下により、印刷設定画面３０１上で設定される各種設定を印刷条件として設定し、ＲＡＭ２０２に記憶するとともに、その印刷条件に基づいて印刷の実行を指示する。ここで、各種設定とは、例えば、入力テキストボックス３０２、コンボボックス３０３、ラジオボタン３０５あるいは３０６、ラジオボタン３０８あるいは３０９、ラジオボタン３１１〜３１３のいずれか、コンボボックス３１４における設定がある。
【００６５】
キャンセルボタン３１６は、当該ボタンの押下により、印刷設定画面３０１上で設定される各種設定を取り消し、初期状態に戻る。
【００６６】
尚、印刷設定画面３０１に配置されるテキストボックス、コンボボックス、ラジオボタン等の各種コントロールの構成は、所定の画像データ、印刷媒体データ、印刷モードを選択できる機能を有するものであれば、上述したものに限らない。
【００６７】
以上、ＧＵＩである印刷設定画面３０１の説明において、図３ではひとつのウィンドウとして記載したが、上述した機能を有すれば良く、ウィンドウの数は複数に分かれていても何ら問題ない。
【００６８】
また、誤動作を防ぐため、ラジオボタン３０６が選択状態（チェック）になっていなければ、グループボックス３０７内をグレイアウトする等の入力を受け付けない状態にしておくことが好ましい。同様に、ラジオボタン３０９が選択状態（チェック）になっていなければ、グループボックス３１０内をグレイアウトする等の入力を受け付けない状態にしておくことが好ましい。
【００６９】
以上のように、本実施形態では、入力画像の画像カテゴリに応じて最適な色分解方法を適宜選択する、あるいは、入力画像の色分布を解析し入力される画像毎に最適な色分解方法を選択するためのＵＩ（ユーザインタフェース）を備える。これにより、適応的に印刷媒体上の画像の光沢ムラの発生を最小に抑制できる。
【００７０】
＜光沢特性測定部１０４３の詳細＞
次に、光沢特性測定部１０４３の詳細について、図４〜図１０を参照して詳細に説明する。
【００７１】
図４は本発明の実施形態の光沢特性測定部の詳細を示すブロック図である。
【００７２】
光沢特性測定部１０４３は、測光部４１０、評価パラメータ抽出部４２０及び評価パラメータ格納部４３０を備える。
【００７３】
また、測光部４１０は、変角反射光分布特性測定部４１１を備える。評価パラメータ抽出部４２０は、正反射光強度抽出部４２１及び正反射近傍光強度抽出部４２２を備える。評価パラメータ格納部４３０は、正反射光強度格納部４３１及び正反射近傍光強度格納部４３２を備える。
【００７４】
測光部４１０の変角反射光分布特性測定部４１１では、パッチ出力部１０４２で印刷媒体に印刷されたパッチ画像の変角反射光分布を測定する。測定したパッチ画像の変角反射光分布から、評価パラメータ抽出部４２０にて、評価パラメータを抽出する。本実施形態に係る評価パラメータは、正反射光強度と正反射近傍光強度である。この評価パラメータの詳細については後述する。
【００７５】
正反射光強度抽出部４２１にて、評価パラメータである正反射光強度を抽出する。また、正反射近傍光強度抽出部４２２にて、評価パラメータである正反射近傍光強度を抽出する。評価パラメータ格納部４３０では、評価パラメータ抽出部４２０にて抽出した評価パラメータである正反射光強度及び正反射近傍光強度を格納する。具体的には、評価パラメータ格納部４３０は、正反射光強度抽出部４２１で抽出された正反射光強度を正反射光強度格納部４３１に格納する。また、評価パラメータ格納部４３０は、正反射近傍光強度抽出部４２２で抽出された正反射近傍光強度を正反射近傍光強度格納部４３２に格納する。
【００７６】
次に、変角反射光分布特性測定部４１１を実現する測定装置の全体構成及びその動作について、図５を用いて説明する。
【００７７】
図５は本発明の実施形態の変角反射光分布特性測光部を実現する測定装置の全体構成及びその動作の概略を示す図である。
【００７８】
光源６０１は、評価対象とする印刷媒体６０３の表面の被測定部６０４を照明する。光源６０１から評価対象とする印刷媒体６０３の表面の被測定部６０４を照明すると、印刷媒体６０３の表面の凹凸や表面物質の屈折率等が起因して、異なった形状の反射光分布６０５が発生する。この反射光分布６０５の空間的な強度特性を、被測定部６０４を中心とした同一円周上の複数の角度において受光器６０２で測光する。換言すれば、被測定部６０４での反射光の空間的な分布を同一円周上から変角測定する。
【００７９】
このように、測定装置では、印刷媒体６０３の法線方向から任意の角度θ傾いた方向から照明し、印刷媒体６０３の表面の空間的な反射光分布の強度特性を取得できるように、受光器６０２を制御する。具体的には、印刷媒体６０３の法線方向から角度θ’傾いた複数の所定の方向で、各方向における印刷媒体６０３の表面からの反射光を受光器６０２により受光する。
【００８０】
ここで、光源６０１は、例えば、ハロゲン電球である。但し、これに限定されるものではなく、その他にも、キセノンランプ、超高圧水銀ランプ、重水素ランプ、ＬＥＤ、あるいはこれら光源いずれか複数を組み合わせたものでも良く、光源の種類は限定されない。受光器６０２は、光を検出する単受光面形のフォトダイオード、光電管、光電子増倍管や、多素子受光面形のＳｉフォトダイオードアレイ、ＣＣＤ等の検出器（光学機器）を備えていて、これには、例えば、放射輝度計等がある。但し、これに限定されるものではなく、光強度を検出できる検出器であれば、その他の光センサ（光学機器）を用いても良く、受光器の種類は限定されない。
【００８１】
次に、評価パラメータ抽出部４２０での評価パラメータ抽出処理、即ち、正反射光強度抽出部４２１と正反射近傍光強度抽出部４２２による、正反射光強度と正反射近傍光強度との抽出方法についてのいくつかの例を、図６〜８を用いて説明する。
【００８２】
図６は本発明の実施形態における正反射光強度と正反射近傍光強度との抽出方法の一例を説明するための図である。
【００８３】
図６は、図４の変角反射光分布特性測定部４１１で測定された、複数の受光角における反射光強度を、横軸に受光角、縦軸に受光反射光強度とした反射光分布を示している。ここで、図５の光源６０１に対する正反射の方向を原点Ｏとする。
【００８４】
図６において、変角反射光分布特性７０１は、図５における被評価対象である印刷媒体６０３の反射光分布（反射光強度分布特性）６０５に対応する。正反射光強度７０２は、原点Ｏ、即ち、光源６０１（図５）に対する正反射方向で受光した光強度である。つまり、図４の正反射光強度抽出部４２１において抽出する正反射光強度は、図６の正反射光強度７０２に対応する。尚、正反射光強度抽出部４２１において抽出する正反射光強度は、変角反射光分布特性７０１から反射光強度の最大値を取得して決定しても良い。
【００８５】
これに対し、図４の正反射近傍光強度抽出部４２２において抽出する正反射近傍光強度は、図６の正反射近傍光強度７０３に対応する。これは、原点Ｏ、即ち、光源６０１に対する正反射方向からある所定の角度ずれた角度θ1における反射光強度である。尚、正反射近傍光強度抽出部４２２で抽出する正反射近傍光強度は、原点Ｏからある所定の角度ずれた角度θ1での反射光の強度と、原点と反対方向に同角度θ1ずれた角度での反射光の強度の和または平均値を取得して決定しても良い。
【００８６】
次に、正反射光強度と正反射近傍光強度との抽出方法の他の例について、図７を用いて説明する。
【００８７】
図７は本発明の実施形態における正反射光強度と正反射近傍光強度との抽出方法の他の例を説明するための図である。
【００８８】
図７は、図６と同様に、図４の変角反射光分布特性測定部４１１で測定された、複数の受光角における反射光強度を、横軸に受光角、縦軸に受光反射光強度として反射光分布を示している。
【００８９】
幅指標値８０２は、変角反射光分布特性８０１の最大値の半値になるときの受光角の幅、即ち、半値全幅である。そして、図７では、正反射近傍光強度抽出部４２２において抽出する正反射近傍光強度は、幅指標値８０２を用いる例を示している。ここで、幅指標値８０２は、例えば、最大値の１０分の１、１００分の１になるときの幅等、任意の高さにおける幅（正反射近傍の反射光分布の広がり）を用いてもよい。さらに、半値半幅等、前述した全幅の半分に相当する幅を幅指標値８０２として設定してもよい。
【００９０】
次に、正反射光強度と正反射近傍光強度との抽出方法の他の例について、図８を用いて説明する。
【００９１】
図８は本発明の実施形態の正反射光強度と正反射近傍光強度との抽出方法の他の例を説明するための図である。
【００９２】
図８に破線で示す反射光強度の一次微分値９０１は、図６の複数の受光角における反射光強度（変角反射光分布特性７０１）の角度に対する一次微分値である。そして、正反射近傍光強度抽出部４２２において抽出する正反射近傍光強度は、図８では、所定の角度範囲における反射光強度の一次微分値９０１の標準偏差（正反射近傍の反射光分布の広がりに相当する値）を用いる例を示している。
【００９３】
一方、図８に示す実線９０２は、図６の複数の受光角における反射光強度を角度に対する一次微分値の絶対値である。最大増加率９０３及び最大減少率９０４は、反射光強度の角度に対する変化の割合が最も大きい位置を示している。そして、正反射近傍光強度抽出部４２２において抽出する正反射近傍光強度は、最大増加率９０３及び最大減少率９０４を用いても良い。あるいは、最大増加率９０３及び最大減少率９０４の和、あるいはそれらの平均値を用いても良い。
【００９４】
尚、複数の受光角における反射光強度の角度に対する一次微分値によって正反射近傍光強度を抽出する場合には、その一次微分の際に、測定時のノイズを低減するために、所定のローパスフィルタを適用しても良い。
【００９５】
また、変角反射光分布特性から、正反射光強度あるいは正反射近傍光強度を抽出する際には、複数の受光角における測定データに対して所定の補間処理やフィッティング処理を施しても良い。
【００９６】
また、正反射光強度は、試料表面への照明の映り込みの明るさを示す指標値、正反射近傍光強度は試料表面への照明の映り込みの鮮明さを示す指標値であることが望ましい。また、正反射光強度と正反射近傍光強度に対しては、人間の感性に対応するように所定の変換式を用いて尺度校正を行うことが望ましい。
【００９７】
以上、図６〜図８の説明は、評価パラメータとして、単に、反射光強度を抽出する例を挙げて説明したが、反射率、輝度、明度等の反射光の強度に基づく指標値（光学特性値）であれば、これらから評価パラメータを抽出しても良い。
【００９８】
そして、抽出された評価パラメータは、評価パラメータ格納部４３０で格納される。こうして得られた評価パラメータは、光沢特性データ保持部１０３３で保持される。
【００９９】
上述した方法は、変角反射光分布特性を測定する場合の評価パラメータ抽出方法であるが、正反射光強度と正反射近傍光強度の抽出については、その他の方法もある。
【０１００】
図９は本発明のの光沢特性測定部の詳細の他の例を説明するための図である。
【０１０１】
評価パラメータの詳細については前述した通りである。図９では、光沢特性測定部１０４３の詳細を示す図４とは異なるひとつの実現形態を示している。
【０１０２】
ここでは、光沢特性測定部１０４３は、測光部５１０及び評価パラメータ格納部５２０を備えている。
【０１０３】
また、測光部５１０は、正反射光強度測定部５１１及び正反射近傍光強度測定部５１２を備えている。評価パラメータ格納部５２０は、正反射光強度格納部５２１及び正反射近傍光強度格納部５２２を備えている。
【０１０４】
測光部５１０では、パッチ出力部１０４２で印刷媒体に印刷されたパッチ画像の正反射光強度と正反射近傍光強度とを測定する。正反射光強度測定部５１１では、正反射光強度を測定する。正反射近傍光強度測定部５１２では、正反射近傍光強度を測定する。正反射光強度測定部５１１は、例えば、鏡面光沢度測定方法（ＪＩＳ  Ｚ  ８７４１）に準拠した鏡面光沢度計である。正反射近傍光強度測定部５１２は、例えば、ヘイズ測定方法（ＩＳＯ  １３８０３、ＡＳＴＭ  Ｅ  ４３０）に準拠したヘイズメータである。その他にも、正反射近傍光強度測定部５１２は、写像性測定方法（ＪＩＳ  Ｋ  ７１０５、ＪＩＳ  Ｈ  ８６８６）に準拠した写像性測定器であっても良い。
【０１０５】
評価パラメータ格納部５２０は、測光部５１０で測定したパッチ画像の評価パラメータである正反射光強度及び正反射近傍光強度を格納する。具体的には、評価パラメータ格納部５２０は、正反射光強度測定部５１１で抽出された正反射光強度を正反射光強度格納部５２１に格納する。また、評価パラメータ格納部５２０は、正反射近傍光強度測定部５１２で抽出された正反射光強度を正反射近傍光強度格納部５２２に格納する。
【０１０６】
これらの方法を用いる場合の例としては、鏡面光沢度測定方法とヘイズ測定方法を用いる場合がある。この場合、得られる評価パラメータは、鏡面光沢度測定方法に基づき測定された鏡面光沢度を利用して所定の変換式から算出した値と、ヘイズ測定方法に基づいて測定したヘイズを利用して所定の変換式から算出した値となる。
【０１０７】
また、鏡面光沢度測定方法と写像性測定方法を用いる場合がある。この場合、評価パラメータは、鏡面光沢度測定方法に基づき測定された鏡面光沢度を利用して所定の変換式から算出した値と、写像性測定方法に基づき測定された像鮮明度を利用して所定の変換式から算出した値となる。
【０１０８】
図１０は本発明の実施形態の光沢特性の測定結果の例を示す図である。
【０１０９】
図１０は、光沢特性の測定結果を模式的に表示したグラフである。横軸（評価パラメータＸ）は、正反射近傍光強度格納部４３２あるいは５２２に格納されている正反射近傍光強度から算出する試料表面への照明の映り込みの鮮明さである。また、縦軸（評価パラメータＹ）は、正反射光強度格納部４３１あるいは５２１に格納されている正反射光強度から算出する試料表面への照明の映り込みの明るさである。
【０１１０】
プロット１００１は、本実施形態において使用される記録装置（画像出力部１０６０）で出力したある色のパッチを、光沢測定部１０４０で測定した光沢特性値（光沢特性データ）である。プロット１００２は、パッチの出力時とは各色材色の種類や量を異なる組み合わせで測色値がパッチと等しくなるよう調整したパッチの光沢特性値である。即ち、使用する色材色の種類と量の組み合わせによって、印刷物が同じ色を再現していても、一般に光沢の特性は異なる。更に、印刷媒体の種類によっても光沢の特性は異なる。
【０１１１】
＜処理内容詳細＞
次に、本実施形態において、図１のＵＩ部１０１０と、色分解ＬＵＴ決定部１０２０とで実行される処理の流れを、図１１〜図１４を用いて詳細に説明する。
【０１１２】
図１１は本発明の実施形態の画像処理装置の基本処理のフローチャートである。
【０１１３】
尚、この処理は、ＣＰＵ２０１の制御の下、ＲＯＭ２０３に記憶されているプログラムを実行することによって実現される。
【０１１４】
ステップＳ１１０１で、ユーザの操作に基づいて、ＵＩ部１０１０は、印刷条件を入力する。ここで、印刷条件とは、図３の印刷設定画面３０１上で設定可能な情報群である。これには、例えば、入力画像データ、印刷媒体データ、光沢ムラ抑制処理の実行有無の情報がある。また、光沢ムラ抑制処理を実行する際に自動処理と手動設定とから任意のモードを選択する光沢ムラ抑制処理情報、手動設定の際に任意の画像カテゴリを選択する画像カテゴリ情報がある。
【０１１５】
ステップＳ１１０２で、色分解ＬＵＴ決定部１０２０は、入力した印刷条件から光沢ムラ抑制処理を実行するか否かを判定する。光沢ムラ抑制処理を実行する場合（ステップＳ１１０２でＹＥＳ）、ステップＳ１１０３で、色分解ＬＵＴ決定部１０２０は、光沢ムラ抑制処理を実行して、所定の色分解ＬＵＴを作成する。このステップＳ１１０３における詳細な処理内容は後述する。
【０１１６】
一方、光沢ムラ抑制処理を実行しない場合（ステップＳ１１０２でＮＯ）、ステップＳ１１０４で、色分解ＬＵＴ決定部１０２０は、基本色分解ＬＵＴ保持部１０３４で予め保持している基本色分解ＬＵＴを読み込む。
【０１１７】
ステップＳ１１０５で、色分解ＬＵＴ決定部１０２０は、ステップＳ１１０３で作成された色分解ＬＵＴ、あるいはステップＳ１１０４で読み込んだ色分解ＬＵＴを色分解ＬＵＴ格納部１０２３に格納する。
【０１１８】
次に、ステップＳ１１０３の処理の詳細について、図１１を用いて説明する。
【０１１９】
図１２は本発明の実施形態のステップＳ１１０３の詳細を示すフローチャートである。
【０１２０】
まず、ステップＳ１２０１で、色分解ＬＵＴ決定部１０２０は、入力画像を画像バッファに格納する。この入力画像は、図３の印刷設定画面３０１の入力テキストボックス３０２で指定した画像データである。また、画像バッファは、例えば、ＲＡＭ２０２上に確保される。
【０１２１】
ステップＳ１２０２で、色分解ＬＵＴ決定部１０２０は、自動処理を選択しているか否かを判定する。この判定は、印刷設定画面３０１のグループボックス３０７におけるラジオボタン３０８の選択の有無に基づいて判定する。
【０１２２】
自動処理を選択している場合（ステップＳ１２０２でＹＥＳ）、ステップＳ１２０３で、ヒストグラム作成部１０１４は、画像バッファに格納された入力画像に基づき入力信号値のヒストグラムを作成する。この入力信号値は、例えば、ＲＧＢ空間で表されるＲＧＢ信号値であるが、所定の変換式を用いてＣＩＥ−Ｌａｂ空間におけるＬ＊ａ＊ｂ＊値等に変換したものであっても同一の議論が成立する。
【０１２３】
次に、ステップＳ１２０４で、色分解ＬＵＴ決定部１０２０は、ステップＳ１１０１で入力した印刷条件に含まれる印刷媒体の種類と、ステップＳ１２０３で作成された入力信号値のヒストグラムとに対応した色分解ＬＵＴを作成する。
【０１２４】
一方、自動処理を選択していない場合（ステップＳ１２０２でＮＯ）、ステップＳ１２０５で、色分解ＬＵＴ決定部１０２０は、ステップＳ１１０１で入力した印刷条件に含まれる印刷印刷媒体の種類と画像カテゴリ情報とに対応した色分解ＬＵＴを作成する。
【０１２５】
次に、ユーザが選択した画像カテゴリや、入力画像について各画素の入力信号値のヒストグラムに対応した代表点を決定する方法を、図１３を用いて説明する。
【０１２６】
図１３は本発明の実施形態の所定の色領域内の代表点に基づき、光沢ムラを抑制する色分解ＬＵＴの作成方法を示す概念図である。
【０１２７】
代表点の色分解決定方法を、図３の印刷設定画面３０１のコンボボックス３１４において「海」モードが選択された場合を例に挙げて説明する。
【０１２８】
図１３において、１３０１は、本実施形態における記録装置の色再現領域をＣＩＥ−Ｌａｂ空間の所定のＬ＊におけるａ＊ｂ＊平面上に示したものである。１３０２は、「海」モードが選択された際に使用率が閾値より高い領域である。領域１３０２は、各モードに対応して予め設定する。当該領域の出現頻度が閾値より高い画像を出力した際に、光沢ムラを抑制するための色分解ＬＵＴを作成するため、以下の処理を実行する。
【０１２９】
ここで、１３０３〜１３０６は、測色値を示す代表点である。領域１３０２内にある代表点１３０３、１３０４、１３０５間の光沢ムラを抑制するための各代表点の色分解を決定する。領域１３０２外にある代表点１３０６に対しては、粒状性や階調性等、その他の画質要素を考慮して予め決められた色分解を用いる。
【０１３０】
ステップＳ１２０４における光沢ムラを抑制する領域の設定方法は、入力画像の信号値のヒストグラムから、出現頻度の高さに応じて所定の閾値を上回る範囲を抑制する領域とする。
【０１３１】
次に、領域１３０２に示す、光沢ムラを抑制する領域における各代表点の色分解の決定方法を、図１４を用いて説明する。
【０１３２】
図１４は本発明の実施形態の所定の色領域内の代表点に基づき、光沢ムラを抑制する色分解ＬＵＴを作成するために利用する、光沢特性値の例を示すグラフである。
【０１３３】
図１４は、図１０と同様に光沢特性値を示した図である。実線で示した領域１４０１、１４０２、１４０３、及び破線で示した領域１４０４は、それぞれ図１３の代表点１３０３、１３０４、１３０５、１３０６の測色値に対応した光沢特性値の出現範囲を示している。
【０１３４】
上述のように、ある所定の色を再現するために使用する色材色の種類と量の組み合わせを変化させることにより、異なった光沢特性が発生する。
【０１３５】
図１４では、例として各色ごとに１０種類の色材色の種類と量の組み合わせによって作成したそれぞれのパッチの光沢特性値を「●」と「■」、あるいは、「●」と「□」で示している。
【０１３６】
ここで、領域１４０１、１４０２、１４０３は光沢ムラを抑制する色領域内の光沢特性値の範囲である。また、領域１４０４は光沢ムラを抑制する色領域外の光沢特性値の範囲である。
【０１３７】
１４０５、１４０６、１４０７において光沢ムラが最小となる（即ち、光沢特性が最も近くなる）色分解を、それぞれ代表点として決定する。光沢ムラを抑制する色領域外にある領域１４０４は、光沢ムラの抑制は考慮せず予め決められた色分解を用いる。
【０１３８】
従って、図１４では、光沢ムラを抑制する色領域外の領域１４０４の代表点１４０８は、光沢ムラを抑制する色領域内の領域１４０１〜１４０３の代表点１４０５〜１４０７と異なり、その他の色の代表点に最も近い点が代表点として選択されるわけではない。
【０１３９】
また、本実施形態では、正反射光強度と正反射近傍光強度とから光沢ムラを最小にする色分解ＬＵＴ作成の例を説明したが、例えば、鏡面光沢度のみを利用してその差を最小にする等、評価方法はこれに限定されるものではない。
【０１４０】
また、図３の印刷設定画面３０１の説明では、「全般」モードの例を挙げたが、色再現領域の全般に対して代表点を設定し、当該代表点間の光沢ムラが最小になるよう予め色分解ＬＵＴを作成しておき、印刷設定画面３０１上にて設定できるようにしても良い。
【０１４１】
上記の代表点に対して各色材の使用量の組み合わせが決定された後、近傍の代表点の色分解に基づき所望の補間処理を行うことで、色分解ＬＵＴを作成する。
【０１４２】
上述したように、ユーザが選択した画像カテゴリや、入力画像の信号値のヒストグラムによって、出力画像の光沢ムラを抑制するための色分解ＬＵＴを決定する。
【０１４３】
また、処理速度の問題から、図３の印刷設定画面３０１のラジオボタン３０８に示す自動処理の場合を除き、印刷モードに対応した複数の色分解ＬＵＴを予め保持しておくことが望ましい。しかし、自動処理の場合同様と印刷の際に色分解ＬＵＴを作成しても構わない。
【０１４４】
以上説明したように、本実施形態によれば、画像や印刷媒体に応じて光沢ムラを制御する色分解方法を決定することが可能となる。さらに、画像や印刷媒体に応じて光沢ムラを抑制するための所望のモードをユーザに選択させることが可能となる。
【０１４５】
つまり、本発明によれば、光沢ムラ（光沢性の差異）を低減させるために新たに色材を追加する必要なく、予め定められた色材色の範囲内で光沢ムラの発生を最小に抑える技術を提供することができ、これにより、開発コストを削減できる。また、適応的に画像の最適な色分解方法を提供することで、全ての入力画像に対して光沢ムラを最小に抑制できる。さらに、画像観察者の目視評価に対応した光沢ムラ評価方法を利用して色分解方法を決定することにより、観察される光沢ムラを最小に抑制できる。
【０１４６】
以上、実施形態例を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【０１４７】
尚、本発明は、前述した実施形態の機能を実現するソフトウェアのプログラム（実施形態では図に示すフローチャートに対応したプログラム）を、システムあるいは装置に直接あるいは遠隔から供給する。そして、そのシステムあるいは装置のコンピュータが該供給されたプログラムコードを読み出して実行することによっても達成される場合を含む。
【０１４８】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１４９】
その場合、プログラムの機能を有していれば、オブジェクトコード、インタプリタにより実行されるプログラム、ＯＳに供給するスクリプトデータ等の形態であっても良い。
【０１５０】
プログラムを供給するための印刷媒体としては、例えば、フロッピー（登録商標）ディスク、ハードディスク、光ディスクがある。また、更に、印刷媒体としては、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１５１】
その他、プログラムの供給方法としては、クライアントコンピュータのブラウザを用いてインターネットのホームページに接続する。そして、その接続先のホームページから本発明のコンピュータプログラムそのもの、もしくは圧縮され自動インストール機能を含むファイルをハードディスク等の印刷媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１５２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１５３】
また、コンピュータが、読み出したプログラムを実行することによって、前述した実施形態の機能が実現される。また、そのプログラムの指示に基づき、コンピュータ上で稼動しているＯＳなどが、実際の処理の一部または全部を行ない、その処理によっても前述した実施形態の機能が実現され得る。
【０１５４】
さらに、印刷媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１５５】
【図１】本発明の実施形態の画像処理装置の構成を示すブロック図である。
【図２】本発明の実施形態の画像処理装置のハードウェア構成を説明するブロック図である。
【図３】本発明の実施形態の印刷条件を選択するグラフィカルユーザインタフェース（ＧＵＩ）の例である。
【図４】本発明の実施形態の光沢特性測定部の詳細を示すブロック図である。
【図５】本発明の実施形態の変角反射光分布特性測光部を実現する測定装置の全体構成及びその動作の概略を示す図である。
【図６】本発明の実施形態における正反射光強度と正反射近傍光強度との抽出方法の一例を説明するための図である。
【図７】本発明の実施形態における正反射光強度と正反射近傍光強度との抽出方法の他の例を説明するための図である。
【図８】本発明の実施形態における正反射光強度と正反射近傍光強度との抽出方法の他の例を説明するための図である。
【図９】本発明のの光沢特性測定部の詳細の他の例を説明するための図である。
【図１０】本発明の実施形態の光沢特性の測定結果の例を示す図である。
【図１１】本発明の実施形態の画像処理装置の基本処理のフローチャートである。
【図１２】本発明の実施形態のステップＳ１１０３の詳細を示すフローチャートである。
【図１３】本発明の実施形態の所定の色領域内の代表点に基づき、光沢ムラを抑制する色分解ＬＵＴの作成方法を示す概念図である。
【図１４】本発明の実施形態の所定の色領域内の代表点に基づき、光沢ムラを抑制する色分解ＬＵＴを作成するために利用する、光沢特性値の例を示すグラフである。
【符号の説明】
【０１５６】
４１０  測光部
４１１  変角反射光分布特性測定部
４２０  評価パラメータ抽出部
４２１  正反射光強度抽出部
４２２  正反射近傍光強度抽出部
４３０  評価パラメータ格納部
４３１  正反射光強度格納部
４３２  正反射近傍光強度格納部
【図１】
2008221799.tif 000003
【図２】
2008221799.tif 000004
【図３】
2008221799.tif 000005
【図４】
2008221799.tif 000006
【図５】
2008221799.tif 000007
【図６】
2008221799.tif 000008
【図７】
2008221799.tif 000009
【図８】
2008221799.tif 000010
【図９】
2008221799.tif 000011
【図１０】
2008221799.tif 000012
【図１１】
2008221799.tif 000013
【図１２】
2008221799.tif 000014
【図１３】
2008221799.tif 000015
【図１４】
2008221799.tif 000016